(57)【特許請求の範囲】
【請求項１】
複数の分類区分のうち、一の分類区分を取得する取得部と、
決済に対応する決済金額と、複数の前記分類区分のそれぞれにおいて前記決済が属する分類種別とを関連付けて決済情報として記憶する記憶部を参照し、取得された分類区分に対応する分類種別ごとに前記決済金額を集計する集計部と、
それぞれの前記分類種別に対応し、かつ前記分類種別の前記決済金額の集計金額に対応する大きさの相似形状を有している前記複数の表示オブジェクトを、前記決済を行ったユーザの携帯端末の表示部に表示させ、前記表示オブジェクトが選択されたことに応じて、前記分類種別に対応する、前記携帯端末のユーザに通知する通知情報を前記表示部に表示させる表示制御部と、
を備え、
前記表示制御部は、前記分類種別に前記通知情報が関連付けられている場合には、前記分類種別における前記決済金額が０である場合であっても、前記ユーザが選択可能であり、かつ前記決済金額が０でない場合と異なる表示態様で前記表示オブジェクトを前記表示部に表示させる表示制御装置。
【請求項２】
前記取得部は、携帯端末から、前記携帯端末のユーザが、前記携帯端末に係るサービスを利用する際に用いる識別情報をさらに取得し、
前記決済金額は、前記識別情報に対応する決済に対応する金額であり、
前記集計部は、取得された分類区分に対応する分類種別ごとに前記決済金額を集計する、
請求項１に記載の表示制御装置。
【請求項３】
前記表示制御部は、前記集計金額の大きさ、前記表示オブジェクトを表示する表示領域の広さ、及び前記表示部に表示させる前記表示オブジェクトの個数の少なくともいずれかに基づいて大きさが決定された前記表示オブジェクトを前記表示部に表示させる、
請求項１又は２に記載の表示制御装置。
【請求項４】
前記分類種別には、前記表示部に前記表示オブジェクトを表示させる条件が関連付けられており、
前記表示制御部は、前記分類種別に関連付けられている前記条件を満たす場合に、当該分類種別に対応する前記表示オブジェクトを前記表示部に表示させる、
請求項１から３のいずれか１項に記載の表示制御装置。
【請求項５】
前記表示制御部は、前記分類種別に、前記表示オブジェクトとは異なる、前記表示オブジェクトを確認するユーザに通知する通知情報が関連付けられていることを条件として、前記表示オブジェクトの表示態様を変化させて表示させ、当該表示オブジェクトが選択されたことに応じて当該通知情報を前記表示部に表示させる、
請求項１から４のいずれか１項に記載の表示制御装置。
【請求項６】
前記表示制御部は、前記分類種別が、前記決済を行ったユーザによって予め指定されていることを条件として、当該分類種別に対応する前記表示オブジェクトを前記表示部に表示させる、
請求項１から５のいずれか１項に記載の表示制御装置。
【請求項７】
前記表示制御部は、前記分類種別に対応する決済の数が所定の閾値以上であることを条件として、当該分類種別に対応する前記表示オブジェクトを前記表示部に表示させる、
請求項１から６のいずれか１項に記載の表示制御装置。
【請求項８】
前記表示制御部は、前記表示部に、前記分類種別に対応する前記表示オブジェクトと、前記分類種別に関連付けられていないダミーの表示オブジェクトとを表示させる、
請求項１から７のいずれか１項に記載の表示制御装置。
【請求項９】
前記表示制御部は、前記分類種別ごとの前記集計金額の大きさに基づいて、前記表示部における複数の前記表示オブジェクトの配置位置を決定し、前記表示オブジェクトが当該配置位置に配置されるアニメーション表示を行う、
請求項１から８のいずれか１項に記載の表示制御装置。
【請求項１０】
コンピュータにより実行される、
複数の分類区分のうち、一の分類区分を取得するステップと、
決済に対応する決済金額と、複数の前記分類区分のそれぞれにおいて前記決済が属する分類種別とを関連付けた決済情報を参照し、取得された分類区分に対応する分類種別ごとに前記決済金額を集計するステップと、
それぞれの前記分類種別に対応し、かつ前記分類種別の前記決済金額の集計金額に対応する大きさの相似形状を有している前記複数の表示オブジェクトを、前記決済を行ったユーザの携帯端末の表示部に表示させるステップと、
前記表示オブジェクトが選択されたことに応じて、前記分類種別に対応する、前記携帯端末のユーザに通知する通知情報を前記表示部に表示させるステップと、
を備え、
前記表示オブジェクトを表示させるステップにおいて、前記分類種別に前記通知情報が関連付けられている場合には、前記分類種別における前記決済金額が０である場合であっても、前記ユーザが選択可能であり、かつ前記決済金額が０でない場合と異なる表示態様で前記表示オブジェクトを前記表示部に表示させる表示制御方法。
【請求項１１】
コンピュータを、
複数の分類区分のうち、一の分類区分を取得する取得部、
決済に対応する決済金額と、複数の前記分類区分のそれぞれにおいて前記決済が属する分類種別とを関連付けて決済情報として記憶する記憶部を参照し、取得された分類区分に対応する分類種別ごとに前記決済金額を集計する集計部、及び
それぞれの前記分類種別に対応し、かつ前記分類種別の前記決済金額の集計金額に対応する大きさの相似形状を有している前記複数の表示オブジェクトを、前記決済を行ったユーザの携帯端末の表示部に表示させ、前記表示オブジェクトが選択されたことに応じて、前記分類種別に対応する、前記携帯端末のユーザに通知する通知情報を前記表示部に表示させる表示制御部、
として機能させ、
前記表示制御部は、前記分類種別に前記通知情報が関連付けられている場合には、前記分類種別における前記決済金額が０である場合であっても、前記ユーザが選択可能であり、かつ前記決済金額が０でない場合と異なる表示態様で前記表示オブジェクトを前記表示部に表示させる表示制御プログラム。
【発明の詳細な説明】
【技術分野】
【０００１】
本発明は、表示制御装置、表示制御方法及び表示制御プログラムに関する。
【背景技術】
【０００２】
従来、プリペイドカードや、クレジットカード等のカードの利用明細を、ネットワークを介してユーザに閲覧可能にすることが行われている。例えば、特許文献１には、ユーザの端末に、ネットワークを介して、クレジットカードの利用日、利用店名、及び利用金額を含む利用明細をリスト表示させる明細表示装置が開示されている。
【先行技術文献】
【特許文献】
【０００３】
【特許文献１】特開２０１４−６３２６６号公報
【発明の概要】
【発明が解決しようとする課題】
【０００４】
しかしながら、特許文献１に記載の装置は、利用明細をリスト表示させるに過ぎないため、ユーザが支出の内訳を把握することが困難であった。例えば、ユーザが、どのような費目やカテゴリに対してどのくらい支出を行っているのかを把握することが困難であった。
【０００５】
そこで、本発明はこれらの点に鑑みてなされたものであり、ユーザに支出の内訳を容易に把握させることができる表示制御装置、表示制御方法及び表示制御プログラムを提供することを目的とする。
【課題を解決するための手段】
【０００６】
本発明の第１の態様に係る表示制御装置は、複数の分類区分のうち、一の分類区分を取得する取得部と、決済に対応する決済金額と、複数の前記分類区分のそれぞれにおいて前記決済が属する分類種別とを関連付けて決済情報として記憶する記憶部を参照し、取得された分類区分に対応する分類種別ごとに前記決済金額を集計する集計部と、前記分類種別に対応し、前記決済金額の集計金額を示す表示オブジェクトを表示部に表示させる表示制御部と、を備える。
【０００７】
前記表示制御部は、前記集計金額の大きさ、前記表示オブジェクトを表示する表示領域の広さ、及び前記表示部に表示させる前記表示オブジェクトの個数の少なくともいずれかに基づいて大きさが決定された前記表示オブジェクトを前記表示部に表示させてもよい。
前記分類種別には、前記表示部に前記表示オブジェクトを表示させる条件が関連付けられており、前記表示制御部は、前記分類種別に関連付けられている前記条件を満たす場合に、当該分類種別に対応する前記表示オブジェクトを前記表示部に表示させてもよい。
【０００８】
前記表示制御部は、前記分類種別に通知情報が関連付けられていることを条件として、前記表示オブジェクトの表示態様を変化させて表示させ、当該表示オブジェクトが選択されたことに応じて当該通知情報を前記表示部に表示させてもよい。
前記表示制御部は、前記分類種別が、前記決済を行ったユーザによって予め指定されていることを条件として、当該分類種別に対応する前記表示オブジェクトを前記表示部に表示させてもよい。
【０００９】
前記表示制御部は、前記分類種別に対応する決済の数が所定の閾値以上であることを条件として、当該分類種別に対応する前記表示オブジェクトを前記表示部に表示させてもよい。
前記表示制御部は、前記分類種別に対応する前記集計金額が所定額以上であることを条件として、当該分類種別に対応する前記表示オブジェクトを前記表示部に表示させてもよい。
前記表示制御部は、前記分類種別に対応する決済の有無にかかわらず、当該分類種別に対応する前記表示オブジェクトを前記表示部に表示させてもよい。
【００１０】
前記表示制御部は、前記表示部に、前記分類種別に対応する前記表示オブジェクトと、前記分類種別に関連付けられていないダミーの表示オブジェクトとを表示させてもよい。
前記表示制御部は、前記分類種別ごとの前記集計金額の大きさに基づいて、前記表示部における複数の前記表示オブジェクトの配置位置を決定し、前記表示オブジェクトが当該配置位置に配置されるアニメーション表示を行ってもよい。
【００１１】
本発明の第２の態様に係る表示制御方法は、コンピュータにより実行される、複数の分類区分のうち、一の分類区分を取得するステップと、決済に対応する決済金額と、複数の前記分類区分のそれぞれにおいて前記決済が属する分類種別とを関連付けた決済情報を参照し、取得された分類区分に対応する分類種別ごとに前記決済金額を集計するステップと、前記分類種別に対応し、前記決済金額の集計金額を示す表示オブジェクトを表示部に表示させるステップと、を備える。
【００１２】
本発明の第３の態様に係る表示制御プログラムは、コンピュータを、複数の分類区分のうち、一の分類区分を取得する取得部、決済に対応する決済金額と、複数の前記分類区分のそれぞれにおいて前記決済が属する分類種別とを関連付けて決済情報として記憶する記憶部を参照し、取得された分類区分に対応する分類種別ごとに前記決済金額を集計する集計部、及び前記分類種別に対応し、前記決済金額の集計金額を示す表示オブジェクトを表示部に表示させる表示制御部、として機能させる。
【発明の効果】
【００１３】
本発明によれば、ユーザに支出の内訳を容易に把握させることができるという効果を奏する。
【図面の簡単な説明】
【００１４】
【図１】第１実施形態に係る表示制御システムの概要を示す図である。
【図２】第１実施形態に係る表示制御装置の構成を示す図である。
【図３】決済合計額情報の一例を示す図である。
【図４】決済情報の一例を示す図である。
【図５】決済合計額画面の一例を示す図である。
【図６】利用履歴画面の一例を示す図である。
【図７】リスト表示画面の表示例を示す図である。
【図８】利用履歴画面の他の例を示す図である。
【図９】利用履歴画面の表示に係る処理の流れを示すシーケンス図である。
【図１０】第２実施形態に係る表示制御装置の構成を示す図である。
【図１１】通知情報に対応する情報が利用履歴画面に表示された例を示す図である。
【発明を実施するための形態】
【００１５】
＜第１実施形態＞
［表示制御システムＳの概要］
図１は、第１実施形態に係る表示制御システムＳの概要を示す図である。
表示制御システムＳは、表示制御装置１と、ユーザ端末２とを備える。
表示制御装置１は、現実の店舗やインターネット上の店舗で用いることができるプリペイドカードやクレジットカードの利用履歴を管理する装置である。ユーザ端末２は、例えば、スマートフォン等の携帯電話機である。プリペイドカード及びクレジットカードは、携帯電話サービスを提供する通信事業者によって発行されるカードである。これらのカードは、国際ブランドの決済ネットワークを利用して決済を行うカードである。
【００１６】
表示制御装置１は、ユーザ端末２のユーザのプリペイドカードやクレジットカードの決済金額を示す決済情報を記憶している。ユーザ端末２は、利用履歴画面の取得要求を表示制御装置１に送信する（図１の（１））。利用履歴画面の取得要求には、ユーザ端末２のユーザを識別するユーザＩＤと、プリペイドカードやクレジットカードの決済の分類区分とが含まれている。ここで、ユーザＩＤは、例えばユーザ端末２のユーザが携帯電話に係るサービスを利用する際に用いられる識別情報である。
【００１７】
表示制御装置１は、利用履歴画面の取得要求を受信すると、自身に記憶されている決済情報を参照し、当該取得要求に含まれているユーザＩＤに対応する複数の決済の決済金額を、当該取得要求に含まれている分類区分に対応する分類種別ごとに集計する（図１の（２））。
【００１８】
表示制御装置１は、分類種別ごとの集計金額の大きさに基づいて、分類種別に対応し、決済金額の集計金額を示す表示オブジェクトを含む利用履歴画面を生成する（図１の（３））。表示オブジェクトは、例えば、集計金額に基づいて大きさが決定された円オブジェクトであり、利用履歴画面には、分類種別に対応して、複数の円オブジェクトが表示される。表示制御装置１は、当該利用履歴画面をユーザ端末２に送信し（図１の（４））、ユーザ端末２に表示させる。このようにすることで、ユーザ端末２のユーザは、表示オブジェクトの大きさに基づいて、どのような分類種別でどのくらい決済が行われたのかを確認して、支出の内訳を容易に把握することができる。
【００１９】
［表示制御装置１の構成］
続いて、表示制御装置１の構成について説明する。図２は、第１実施形態に係る表示制御装置１の構成を示す図である。表示制御装置１は、通信部１１と、記憶部１２と、制御部１３とを備える。
【００２０】
通信部１１は、インターネット等の通信ネットワークに接続するためのインターフェイスである。通信部１１は、通信ネットワークを介してユーザ端末２と通信を行う。
記憶部１２は、ＲＯＭ、ＲＡＭ及びハードディスク等の記憶媒体である。記憶部１２は、制御部１３が実行するプログラムを記憶している。記憶部１２は、制御部１３を、取得部１３１、生成部１３２、表示制御部１３３、及び集計部１３４として機能させる表示制御プログラムを記憶している。
【００２１】
また、記憶部１２は、ユーザ端末２のユーザが利用するプリペイドカード及びクレジットカードの決済に対応する月別の決済合計額を示す決済合計額情報を記憶する。図３は、決済合計額情報の一例を示す図である。図３に示すように、決済合計額情報は、ユーザＩＤと、カードの利用年月と、プリペイドカードの月別の決済合計額と、クレジットカードの月別の決済合計額とを含む。
【００２２】
また、記憶部１２は、ユーザ端末２のユーザのプリペイドカードやクレジットカードの決済に対応する決済金額と、複数の分類区分のそれぞれにおいて決済が属する分類種別とを関連付けて決済情報として記憶する。記憶部１２は、プリペイドカードに対応する決済情報であるプリペイド決済情報と、クレジットカードに対応する決済情報であるクレジット決済情報とを記憶する。
【００２３】
図４は、決済情報の一例を示す図である。図４（ａ）は、プリペイド決済情報を示しており、図４（ｂ）は、クレジット決済情報を示している。プリペイド決済情報は、図４（ａ）に示すように、ユーザＩＤと、決済金額と、利用日と、それぞれ異なる大きさの複数の分類区分とを含んでいる。図４（ｂ）に示すクレジット決済情報は、プリペイド決済情報と同様に、ユーザＩＤと、決済金額と、利用日と、それぞれ異なる大きさの複数の分類区分とを含んでいる。複数の分類区分は、例えば、カードの利用先の店舗、店舗の業態、決済対象が属するカテゴリである。なお、複数の分類区分には、店舗が属するチェーン等のブランドを示す情報が含まれていてもよい。また、複数の分類区分は、それぞれ異なる大きさであるものとしたが、これに限らない。複数の分類区分は、少なくとも一部が同じ大きさであってもよい。また、複数の分類区分は、異なる観点で決済金額を把握できるものであればよく、大小関係を有していないものであってもよい。
【００２４】
ここで、図４に示す決済情報は、例えば、プリペイドカード及びクレジットカードの決済を管理する決済管理サーバ（不図示）において管理されている基本決済情報に対して、店舗の業態及びカテゴリがさらに関連付けられることによって生成される。例えば、基本決済情報は、カード番号に対応するユーザＩＤと、決済金額と、利用日と、利用先とを関連付けた情報である。決済管理サーバは、利用先を示す店舗と、当該店舗の業態と、カテゴリとを関連付けた分類用テーブルを記憶しており、当該分類用テーブルに基づいて、利用先に関連する業態及びカテゴリを特定する。そして、決済管理サーバは、特定した業態及びカテゴリを決済情報と、管理サーバにおいて管理されている基本決済情報とを関連付けることによって、図４に示す決済情報を生成し、表示制御装置１に記憶させる。
【００２５】
なお、本実施形態では、記憶部１２が決済合計額情報及び決済情報を記憶することとしたが、これに限らない。例えば、上述した決済管理サーバ等、表示制御装置１が通信可能な外部装置が決済合計額情報及び決済情報を記憶していてもよい。そして、表示制御装置１が、利用履歴画面の取得要求を受信したことに応じて、当該外部装置に記憶されている決済合計額情報及び決済情報を参照して利用履歴画面を生成してもよい。
【００２６】
制御部１３は、例えばＣＰＵである。制御部１３は、記憶部１２に記憶されている各種プログラムを実行することにより、表示制御装置１に係る機能を制御する。
制御部１３は、取得部１３１と、生成部１３２と、表示制御部１３３と、集計部１３４とを備える。
【００２７】
取得部１３１は、ユーザ端末２から、プリペイドカード及びクレジットカードの月別の決済合計額を示す決済合計額画面の取得要求を受信する。例えば、決済合計額画面の取得要求には、ユーザＩＤと、カード区分と、年月を示す年月情報とが含まれている。カード区分は、プリペイドカードの決済合計額の取得を要求するか、クレジットカードの決済合計額の取得を要求するかを示す情報である。例えば、取得要求には、カード区分として、プリペイドカードを示す区分情報、クレジットカードを示す区分情報、双方のカードを示す区分情報のいずれかが含まれている。
【００２８】
生成部１３２は、取得部１３１が決済合計額画面の取得要求を受信したことに応じて、当該取得要求に含まれるユーザＩＤ、カード区分、及び年月情報に基づいて決済合計額画面を生成する。
【００２９】
具体的には、生成部１３２は、取得要求に含まれるカード区分がプリペイドカードを示している場合には、記憶部１２に記憶されている決済合計額情報を参照し、取得要求に含まれるユーザＩＤと、年月情報が示す年月に関連付けられているプリペイドカードの決済合計額と、当該年月の前月及び前々月に関連付けられているプリペイドカードの決済合計額とを取得する。
【００３０】
また、生成部１３２は、取得要求に含まれるカード区分がクレジットカードを示している場合には、記憶部１２に記憶されている決済合計額情報を参照し、取得要求に含まれるユーザＩＤと、年月情報が示す年月に関連付けられているクレジットカードの決済合計額と、当該年月の前月及び前々月に関連付けられているクレジットカードの決済合計額とを取得する。
【００３１】
また、生成部１３２は、ユーザＩＤと、当該ユーザＩＤに対応するユーザに付与されたポイントとを関連付けたポイント情報（不図示）を参照し、取得要求に含まれるユーザＩＤに関連付けられているポイントを取得する。
【００３２】
生成部１３２は、取得した決済合計額と、ポイントとに基づいて決済合計額画面を生成する。図５は、決済合計額画面の一例を示す図である。図５に示す決済合計額画面には、クレジットカードの決済合計額を示す請求予定額及び請求確定額と、ユーザに付与されているポイントとが示されている。また、決済合計額画面に含まれている「お買い物履歴」と示された画像ｉには、利用履歴画面へのリンクが付されている。
表示制御部１３３は、決済合計額画面の取得要求を送信したユーザ端末２に、生成部１３２が生成した決済合計額画面を送信することで、当該決済合計額画面をユーザ端末２の表示部に表示させる。
【００３３】
ユーザ端末２の表示部に表示された決済合計額画面において、「お買い物履歴」と示された画像ｉが選択されると、ユーザ端末２は、利用履歴画面の取得要求を表示制御装置１に送信する。利用履歴画面の取得要求には、ユーザＩＤと、それぞれ異なる大きさの複数の分類区分のうち一の分類区分と、年月情報と、カード区分とが含まれている。
【００３４】
取得部１３１は、ユーザ端末２から送信された、ユーザＩＤと、一の分類区分と、年月情報と、カード区分とを含む利用履歴画面の取得要求を取得する。
集計部１３４は、記憶部１２に記憶されている決済情報を参照し、取得要求に含まれているユーザＩＤ、分類区分、カード区分及び年月情報に対応する決済金額を抽出する。集計部１３４は、抽出した決済金額を、分類種別ごとに集計する。
【００３５】
例えば、図５に示す決済合計額画面において、「お買い物履歴」が選択された場合、利用履歴画面の取得要求には、分類区分として「業態」が含まれている。利用履歴画面の取得要求に含まれるユーザＩＤが「ＴＡＲＯ９７」であり、年月情報が示す年月が「２０１５／０８」であり、カード区分が双方のカードを示している場合、集計部１３４は、図４（ａ）に示すプリペイド決済情報と、図４（ｂ）に示すクレジット決済情報を参照し、ユーザＩＤ「ＴＡＲＯ９７」、年月「２０１５／０８」、分類区分「業態」に対応する決済金額を抽出する。そして、集計部１３４は、抽出した決済金額を、分類区分「業態」に対応する分類種別ごとに集計する。例えば、集計部１３４は、業態「ドラッグストア」の集計金額を￥１，０００、業態「コンビニ」の集計金額を￥５００、業態「スーパーマーケット」の集計金額を￥２，０００と集計する。
【００３６】
生成部１３２は、集計部１３４において決済金額が集計されたことに応じて、分類種別ごとの集計金額の大きさに基づいて、分類種別に対応し、決済金額の集計金額を示す表示オブジェクトを含む利用履歴画面を生成する。図６は、利用履歴画面の一例を示す図である。生成部１３２は、図６に示すように、表示オブジェクトとして、分類種別ごとの集計金額の大小関係に基づいて大きさが決定された円オブジェクトを生成する。なお、表示オブジェクトの大きさは、表示領域の広さと、集計金額と、表示する表示オブジェクト数との少なくともいずれかに基づいて決定するようにしてもよい。
【００３７】
ここで、円オブジェクトの大きさは、複数の集計金額の大小関係が示されていればよい。例えば、生成部１３２は、集計金額の合計値に対するそれぞれの分類種別の集計金額の占める割合に基づいて、予め大きさが定められている複数の円オブジェクトから分類種別に対応する円オブジェクトを選択するようにしてもよい。また、円オブジェクトの最小の大きさが予め設定されていてもよい。さらに、本実施例においては表示オブジェクトとして円オブジェクトを例に説明しているが、表示オブジェクトは、円オブジェクトに限らず、様々な形のオブジェクトであってもよい。例えば、表示オブジェクトは、正円オブジェクトによらず、所定の面積を持つ矩形オブジェクト、複数の矩形オブジェクト及び円形オブジェクトの組合せ、楕円等の円形オブジェクトであってもよい。
【００３８】
図６に示す例では、分類種別「スーパーマーケット」の集計金額が最も多いことから分類種別「スーパーマーケット」に対応する円オブジェクトが最も大きく表示されていることが確認できる。また、分類種別「ドラッグストア」の集計金額が、分類種別「コンビニ」の集計金額よりも多いことから、分類種別「ドラッグストア」に対応する円オブジェクトが、分類種別「コンビニ」に対応する円オブジェクトよりも大きく表示されていることが確認できる。
【００３９】
生成部１３２は、複数の集計金額の全てに対応する表示オブジェクトを生成しないようにしてもよい。例えば、生成部１３２は、集計金額が多い順から所定数の集計金額に対応する表示オブジェクトを生成し、それ以外の集計金額の表示オブジェクトを生成しないようにしてもよい。
また、生成部１３２は、分類種別に対応する決済の有無にかかわらず、当該分類種別に対応する表示オブジェクトを生成してもよい。例えば、図４に示す決済情報に含まれていない分類種別に対応する表示オブジェクトを生成してもよい。
【００４０】
また、分類種別に、ユーザ端末２の表示部に表示オブジェクトを表示させる条件を関連付けておき、生成部１３２は、分類種別に関連付けられている条件を満たす場合に、当該分類種別に対応する表示オブジェクトを利用履歴画面に含めるようにしてもよい。
【００４１】
例えば、制御部１３は、ユーザ端末２のユーザから、利用履歴画面に表示オブジェクトを表示させる分類種別を予め受け付けて、ユーザＩＤと、当該分類種別とを関連付けて記憶部１２に記憶させておく。そして、生成部１３２は、記憶部１２を参照し、分類種別が、決済を行ったユーザによって予め指定されて記憶されていることを条件として、当該分類種別に対応する表示オブジェクトを利用履歴画面に含めるようにしてもよい。このようにすることで、利用履歴画面にはユーザが指定した分類種別のみが表示されるので、ユーザは、自身が指定した分類種別の支出を把握することができる。
【００４２】
また、生成部１３２は、分類種別に対応する決済の数が所定の閾値以上であることを条件として、当該分類種別に対応する表示オブジェクトを利用履歴画面に含めるようにしてもよい。このようにすることで、表示制御装置１は、決済の数が所定の閾値未満の分類種別の決済に対応する表示オブジェクトを利用履歴画面において非表示とすることができる。これにより、ユーザは、日常的に決済回数が多い分類種別を把握することができる。
【００４３】
また、生成部１３２は、分類種別に対応する集計金額が所定額以上であることを条件として、当該分類種別に対応する表示オブジェクトを利用履歴画面に含めるようにしてもよい。このようにすることで、表示制御装置１は、集計金額が少ない分類種別の決済に対応する表示オブジェクトを利用履歴画面において非表示とすることができる。これにより、ユーザは、決済金額が多い分類種別を把握することができる。
【００４４】
また、生成部１３２は、表示オブジェクトを利用履歴画面に表示させるための複数の条件のうち、一以上の条件の選択をユーザ端末２のユーザから受け付けるようにしてもよい。そして、生成部１３２は、ユーザが選択した一以上の条件に基づいて、分類種別に対応する表示オブジェクトを利用履歴画面に含めるか否かを制御するようにしてもよい。
【００４５】
生成部１３２は、分類種別に対応する表示オブジェクトと、分類種別に関連付けられていないダミーの表示オブジェクトとを含む利用履歴画面を生成してもよい。例えば、生成部１３２は、集計金額に対応する表示オブジェクトを生成し、表示オブジェクトの表示領域に配置した結果、空白領域が発生した場合には、当該空白領域に対応してダミーの表示オブジェクトを生成して、当該空白領域に配置してもよい。
【００４６】
表示制御部１３３は、分類種別ごとの集計金額の大きさに基づく、分類種別に対応する表示オブジェクトをユーザ端末２の表示部に表示させる。具体的には、表示制御部１３３は、生成部１３２が分類種別ごとの集計金額の大きさに基づいて生成した表示オブジェクトを含む利用履歴画面をユーザ端末２に送信することにより、当該利用履歴画面をユーザ端末２の表示部に表示させる。
【００４７】
利用履歴画面がユーザ端末２に表示されている場合において、表示オブジェクトを含む表示領域Ａがユーザによって選択されると、ユーザ端末２は、利用履歴のリスト表示を要求するリスト表示要求を表示制御装置１に送信する。リスト表示要求には、ユーザＩＤ、分類区分、カード区分及び年月情報が含まれている。
【００４８】
取得部１３１が、リスト表示要求を取得すると、集計部１３４は、記憶部１２に記憶されている決済情報を参照し、取得された取得要求に含まれるユーザＩＤ、分類区分、カード区分及び年月情報に対応する決済金額を抽出する。そして、集計部１３４は、抽出した決済金額を、取得要求に含まれる分類区分に対応する分類種別ごとに集計する。
生成部１３２は、集計部１３４が集計した分類種別ごとの集計金額をリスト表示したリスト表示画面を生成する。
【００４９】
表示制御部１３３は、生成したリスト表示画面をユーザ端末２に送信し、ユーザ端末２の表示部に表示させる。図７は、リスト表示画面の表示例を示す図である。図７に示すように、分類区分「業態」に対応する分類種別ごとの集計金額がリスト表示されていることが確認できる。
【００５０】
なお、表示制御部１３３は、表示オブジェクトを含む表示領域Ａがユーザによって選択されると、分類種別ごとの集計金額をリスト表示したリスト表示画面を表示させたが、これに限らない。表示制御部１３３は、例えば、表示領域Ａに含まれる表示オブジェクトがユーザによって選択されたことに応じて、当該表示オブジェクトに対応する分類種別に関連付けられている決済金額をリスト表示したリスト表示画面を表示させてもよい。
【００５１】
ユーザ端末２に利用履歴画面が表示されている場合において、利用履歴画面に表示されている分類区分「業態」、「カテゴリ」、「ブランド」のいずれかが選択されると、ユーザ端末２は、選択された分類区分を含む利用履歴画面の取得要求を表示制御装置１に送信する。表示制御装置１は、利用履歴画面の取得要求を取得すると、上述したように利用履歴画面を生成し、ユーザ端末２に表示させる。
【００５２】
図８は、利用履歴画面の他の例を示す図である。具体的には、図８は、分類区分「カテゴリ」に対応する利用履歴画面の一例である。図８では、分類区分「カテゴリ」に対応する分類種別「食費」、「日用品」に対応する集計金額が表示されていることが確認できる。
【００５３】
［利用履歴画面の表示に係る処理の流れ］
続いて、表示制御システムＳにおける利用履歴画面の表示に係る処理の流れについて説明する。図９は、利用履歴画面の表示に係る処理の流れを示すシーケンス図である。なお、図９に示す処理の開始時において、ユーザ端末２の表示部には、決済合計額画面が表示されているものとする。
【００５４】
まず、ユーザ端末２は、ユーザから利用履歴画面の取得要求を受け付けたか否かを判定する（Ｓ１）。ユーザ端末２は、図５に示す決済合計額画面において、「お買い物履歴」と表示された画像ｉが選択されたことに応じて、利用履歴画面の取得要求を受け付けたと判定する。
【００５５】
ユーザ端末２は、利用履歴画面の取得要求を受け付けたと判定すると、利用履歴画面の取得要求を表示制御装置１に送信する。利用履歴画面の取得要求には、ユーザＩＤ、分類区分、カード区分及び年月情報が含まれている。
【００５６】
続いて、取得部１３１が利用履歴画面の取得要求を受信すると、集計部１３４は、記憶部１２に記憶されている決済情報を参照し、当該取得要求に含まれるユーザＩＤ、分類区分、カード区分及び年月情報に対応する決済金額を抽出する。そして、集計部１３４は、抽出した決済金額を、分類種別ごとに集計する（Ｓ２）。
【００５７】
続いて、生成部１３２は、集計部１３４が集計した分類種別ごとの集計金額の大きさに対応する表示オブジェクトを含む利用履歴画面を生成する（Ｓ３）。
続いて、表示制御部１３３は、生成部１３２によって生成された利用履歴画面をユーザ端末２に送信することにより、利用履歴画面をユーザ端末２の表示部に表示させる（Ｓ４）。
【００５８】
なお、本シーケンスでは、処理の開始時において、ユーザ端末２の表示部には、決済合計額画面が表示されているものとしたが、これに限らない。例えば、利用履歴画面が表示された後に、本シーケンスを実行してもよい。このようにすることで、例えば、利用履歴画面を、ユーザが選択した分類区分に対応した利用履歴画面に切り替えることができる。
【００５９】
［第１実施形態における効果］
以上の通り、第１実施形態に係る表示制御装置１は、それぞれ異なる大きさの複数の分類区分のうち、一の分類区分を取得し、取得された分類区分に対応する分類種別ごとに決済金額を集計し、分類種別ごとの集計金額の大きさに基づく表示オブジェクトをユーザ端末２の表示部に表示させる。このようにすることで、ユーザ端末２のユーザは、表示オブジェクトの大きさに基づいて、どのような分類種別で決済が行われたのかを確認して、支出の内訳を容易に把握することができる。
【００６０】
＜第２実施形態＞
［分類種別に対応する通知情報を表示させる］
続いて、第２実施形態に係る表示制御装置１について説明する。第２実施形態は、分類種別に対応する通知情報を表示させる点で第１実施形態と異なり、その他の点では同じである。以下、第１実施形態と異なる部分について説明を行う。第１実施形態と同じ部分については適宜説明を省略する。
【００６１】
図１０は、第２実施形態に係る表示制御装置１の構成を示す図である。図１０に示すように、表示制御装置１の制御部１３は、登録部１３５をさらに備える。
登録部１３５は、通信部１１を介して、表示制御装置１の管理者が操作する管理端末（不図示）から、分類種別と、当該分類種別に対応する通知情報とを受け付ける。ここで、通知情報は、例えば、クーポンや、ポイントに関する情報といったユーザにとって有益な情報である。
【００６２】
登録部１３５は、分類種別と、通知情報とを受け付けると、分類種別と、通知情報とを関連付けて記憶部１２に記憶させる。
取得部１３１は、ユーザ端末２から送信された、ユーザＩＤと、一の分類区分と、年月情報と、カード区分とを含む利用履歴画面の取得要求を取得する。
集計部１３４は、第１実施形態と同様に、決済情報を参照し、取得された取得要求に含まれるユーザＩＤ、分類区分、カード区分及び年月情報に対応する決済金額を抽出し、当該決済金額を、分類種別ごとに集計する。
【００６３】
生成部１３２は、集計部１３４において決済金額が集計されたことに応じて、分類種別ごとの集計金額の大きさに基づいて、分類種別に対応する表示オブジェクトを含む利用履歴画面を生成する。また、生成部１３２は、利用履歴画面を生成する際に記憶部１２を参照し、取得された利用履歴画面に含まれている分類種別に関連付けられている通知情報を特定する。そして、生成部１３２は、当該分類種別に対応する表示オブジェクトの表示態様を他の分類種別に対応する表示オブジェクトとは異なる表示態様で表示する利用履歴画面を生成する。
【００６４】
ここで、生成部１３２は、分類種別に通知情報が関連付けられている場合には、当該分類種別に対応する集計金額が０、すなわち、当該分類種別に対応する決済が一度も行われていないときでも、当該分類種別に対応する表示オブジェクトを生成してもよい。このようにすることで、表示制御装置１は、一度も決済が行われていない分類種別に関連する通知情報を表示させて、当該分類種別に対応する決済をユーザに促すようにすることができる。
【００６５】
表示制御部１３３は、分類種別に通知情報が関連付けられていることを条件として、表示オブジェクトの表示態様を変化させた利用履歴画面をユーザ端末２に送信することにより、当該利用履歴画面をユーザ端末２の表示部に表示させる。そして、表示制御部１３３は、当該表示オブジェクトが選択されたことに応じて当該通知情報をユーザ端末２の表示部に表示させる。
【００６６】
図１１は、通知情報に対応する情報が利用履歴画面に表示された例を示す図である。図１１（ａ）は、利用履歴画面に、通知情報に対応する分類種別の表示オブジェクトＯが表示された例を示す図である。表示オブジェクトＯは、決済が一度も行われていない分類種別に対応する表示オブジェクトである。図１１（ａ）に示すように、通知情報に対応する表示オブジェクトＯが他の表示オブジェクトとは異なる表示態様で表示されていることが確認できる。
【００６７】
図１１（ｂ）は、利用履歴画面に通知情報が表示された例を示す図である。図１１（ｂ）に示されているように、通知情報が表示オブジェクトの表示領域に重なって表示されていることが確認できる。
【００６８】
［第２実施形態における効果］
以上の通り、第２実施形態に係る表示制御装置１は、分類種別に通知情報が関連付けられていることを条件として、表示オブジェクトの表示態様を変化させた利用履歴画面をユーザ端末２の表示部に表示させる。このようにすることで、ユーザ端末２のユーザは、他の表示オブジェクトとは異なる表示態様で表示されている通知情報に対応する表示オブジェクトＯに興味を持つので、表示オブジェクトＯをユーザが選択する確率を高めることができる。
【００６９】
また、表示制御装置１は、通知情報に対応する表示オブジェクトが選択されたことに応じて当該通知情報をユーザ端末２の表示部に表示させる。これにより、表示制御装置１の管理者等は、通知情報を効率的にユーザに通知することができる。
【００７０】
なお、本実施形態において、登録部１３５は、分類種別と、通知情報とを受け付けることとしたが、これに限らず、通知情報を表示させる条件をさらに受け付けてもよい。通知情報を表示させる表示条件は、例えば、ユーザの所定の分類種別に対応する決済の決済金額や、決済回数である。
【００７１】
登録部１３５は、分類種別と、通知情報と、表示条件とを受け付けると、分類種別と、通知情報と、表示条件とを関連付けた表示条件情報を記憶部１２に記憶させる。表示制御部１３３は、表示条件情報を参照して表示条件を満たすユーザを特定し、特定したユーザに対応する利用履歴画面に、通知情報に対応する表示オブジェクトを表示させたり、当該表示オブジェクトの表示態様を変化させたりしてもよい。このようにすることで、表示制御装置１は、通知情報を通知することが有効なユーザに限定して通知情報を表示させることができる。
【００７２】
＜第３実施形態＞
［表示オブジェクトをアニメーション表示させる］
続いて、第３実施形態に係る表示制御装置１について説明する。第３実施形態は、表示オブジェクトがアニメーション表示される点で第１実施形態と異なり、その他の点では同じである。
【００７３】
第３実施形態に係る表示制御装置１において、生成部１３２は、分類種別ごとの集計金額の大きさに基づいて、ユーザ端末２の表示部における複数の表示オブジェクトの配置位置を決定する。そして、生成部１３２は、例えば、表示オブジェクトが画面上方向から下方向に落下し、最終的に表示オブジェクトが、決定した配置位置に配置されるアニメーション動画を含む利用履歴画面を生成する。
【００７４】
表示制御部１３３は、生成部１３２が生成した利用履歴画面をユーザ端末２に送信することにより、利用履歴画面をユーザ端末２の表示部に表示させる。これにより、ユーザ端末２は、利用履歴画面に含まれるアニメーション動画を表示させることができる。
【００７５】
［第３実施形態における効果］
以上の通り、第３実施形態に係る表示制御装置１は、分類種別ごとの集計金額の大きさに基づいて、ユーザ端末２の表示部における複数の表示オブジェクトの配置位置を決定し、表示オブジェクトが当該配置位置に配置されるアニメーション表示を行わせる。このようにすることで、ユーザ端末２のユーザは、分類種別ごとの支出に対応する表示オブジェクトを、興味を持って視認することができる。
【００７６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。例えば、上述の実施形態では、表示制御装置１は、１台の装置であるとして説明したがこれに限らず、複数のサーバ等によって構成されていてもよい。また、上述の実施の形態では、表示制御装置１が表示制御プログラムを記憶することとしたが、これに限らず、ユーザ端末２が当該表示制御プログラムを記憶しておき、当該表示制御プログラムを実行するようにしてもよい。この場合、ユーザ端末２は、表示制御装置１の記憶部１２を参照し、取得された分類区分に対応する分類種別ごとに決済金額を集計するようにしてもよい。
【符号の説明】
【００７７】
１・・・表示制御装置、１１・・・通信部、１２・・・記憶部、１３・・・制御部、１３１・・・取得部、１３２・・・生成部、１３３・・・表示制御部、１３４・・・集計部、１３５・・・登録部、２・・・ユーザ端末、Ｓ・・・表示制御システム
【図１】
0006335866.tif 000002
【図２】
0006335866.tif 000003
【図３】
0006335866.tif 000004
【図４】
0006335866.tif 000005
【図５】
0006335866.tif 000006
【図６】
0006335866.tif 000007
【図７】
0006335866.tif 000008
【図８】
0006335866.tif 000009
【図９】
0006335866.tif 000010
【図１０】
0006335866.tif 000011
【図１１】
0006335866.tif 000012